(57)【要約】【課題】  構造が簡単で、棚板を簡単に交換できる棚板取付け装置を提供すること。【解決手段】  水平方向に延在するように壁面１ａに取付けられ前面に長手方向に沿う開口１７が形成されるとともに、開口１７内に開口１７と連通しこの開口の１７上端より上方に延在する収納部１８が形成されている棚板保持具１１と、棚板２２の基端に連接され開口１７を介して収納部１８内に着脱自在に挿入される上部支持体が形成された棚板部材とを有する。【選択図】      図１
2005304769.tif 000002
【特許請求の範囲】
【請求項１】
水平方向に延在するように壁面に取付けられ前面に長手方向に沿う開口が形成されるとともに、前記開口内に開口と連通しこの開口の上端より上方に延在する収納部が形成されている棚板保持具と、
前記棚板の基端に連接され前記開口を介して前記収納部内に着脱自在に挿入される上部支持体が形成された棚板部材と
を有することを特徴とする棚板取付け装置。
【請求項２】
前記棚板部材には、前記開口を介して前記収納部内に着脱自在に挿入される下部支持体がさらに形成されていることを特徴とする請求項１に記載の棚板取付け装置。
【請求項３】
前記収納部は、前記開口の下端より下方に延在していることを特徴とする請求項１または請求項２に記載の棚板取付け装置。
【請求項４】
前記棚板部材には、前記棚板保持具の下方の前記壁面に当接する下部支持体がさらに形成されていることを特徴とする請求項１に記載の棚板取付け装置。
【請求項５】
前記棚板は、前記支持体から離間する先端側が基端側より上方に位置するように傾斜配置されていることを特徴とする請求項１ないし請求項４のいずれか１項に記載の棚板取付け装置。
【発明の詳細な説明】
【技術分野】
【０００１】
本発明は、各種物品を載置する棚板を壁面に着脱自在に取付ける棚板取付け装置に係り、特に、載置する物品の形状に合わせた棚板を壁面に取付けることのできる棚板取付け装置に関する。
【背景技術】
【０００２】
棚板を取付けるために壁面の両側に前方に突出するフレームを配置し、各フレームに、棚板を載置する棚板支持部材を固定し、両棚板支持部材上に棚板としての傾斜棚を載置するようにした棚板取付け装置が従来から知られている（例えば、特許文献１参照）。
【０００３】
【特許文献１】特開２００１−２６９２５４号公報
【発明の開示】
【発明が解決しようとする課題】
【０００４】
しかしながら、前述した特許文献１に記載の棚板取付け装置においては、壁面の両側にそれぞれフレームを配置しなければならず、構造が複雑であったし、また、異なる形状の棚板を載置するためには、それまで使用していた棚板支持部材を各フレームから取外したうえで、異なる形状の棚板支持部材を各フレームに固定しなければならず、棚板支持部材の交換作業が煩雑であった。
【０００５】
そこで、本発明は、構造が簡単で、棚板を簡単に交換できる棚板取付け装置を提供することを目的とするものである。
【課題を解決するための手段】
【０００６】
前述した目的を達成するため、請求項１に係る本発明の棚板取付け装置の特徴は、水平方向に延在するように壁面に取付けられ前面に長手方向に沿う開口が形成されるとともに、前記開口内に開口と連通しこの開口の上端より上方に延在する収納部が形成されている棚板保持具と、前記棚板の基端に連接され前記開口を介して前記収納部内に着脱自在に挿入される上部支持体が形成された棚板部材とを有する点にある。そして、このような構成を採用したことにより、棚板部材をその上部支持体を棚板保持具の開口から収納部の上部に向けて斜めに挿入したうえで、棚板がほぼ水平方向に位置するように棚板部材を回動させて棚板部材を棚板保持具に着座させることにより、棚板保持具により棚板部材を安定的に保持することができる。
【０００７】
請求項２に係る本発明の棚板取付け装置の特徴は、棚板部材に、開口を介して収納部内に着脱自在に挿入される下部支持体がさらに形成されている点にある。そして、このような構成を採用したことにより、下部支持体が棚板部材の回転モーメントを支持するので、棚板保持具により棚板部材をさらに安定的に保持することができる。
【０００８】
請求項３に係る本発明の棚板取付け装置の特徴は、前記収納部が、開口の下端より下方に延在している点にある。そして、このような構成を採用したことにより、下部支持体が開口より下方の収納部内に収納されることになるので、棚板保持具により棚板部材をさらに安定的に保持することができる。
【０００９】
請求項４に係る本発明の棚板取付け装置の特徴は、棚板部材に、棚板保持具の下方の前記壁面に当接する下部支持体がさらに形成されている点にある。そして、このような構成を採用したことにより、下部支持体が棚板部材の回転モーメントを支持するので、棚板保持具および壁面により棚板部材をさらに安定的に保持することができる。
【００１０】
請求項５に係る本発明の棚板取付け装置の特徴は、棚板が、支持体から離間する先端側が基端側より上方に位置するように傾斜配置されている点にある。そして、このような構成を採用したことにより、棚板の先端側が目の錯覚により垂れ下がったように見えるのを防止することができる。
【発明の効果】
【００１１】
本発明の棚板取付け装置によれば、構造が簡単であるにもかかわらず棚板保持具により棚板部材を安定的に保持することができるばかりでなく、安価に製造できるし、しかも、棚板部材を棚板保持具に対し簡単に着脱して交換することができる。
【発明を実施するための最良の形態】
【００１２】
まず、本発明を第１実施形態により説明する。
【００１３】
図１は本発明に係る棚板取付け装置の第１実施形態を示すものであり、本実施形態の棚板取付け装置１０は、壁１にねじ２より固定され、壁面１ａに取付けられている棚板保持具１１を有している。この棚板保持具１１は、水平方向に延在する長尺の金属材料により形成されている。この棚板保持具１１の水平方向長さは、例えば、９０ｃｍ、１８０ｃｍなどとされており、この棚板保持具１１は住宅の新築あるいは改築時に施工してもよいし、あとから施工することも可能である。
【００１４】
前記棚板保持具１１は、ほぼ鉛直方向に延在する後壁１２を有しており、この後壁１２の上端には、この後壁１２から前方に突出する頂壁１３が連設されている。この頂壁１３の下面１３ａは前後方向における中央部が上方に凹入された彎曲状に形成されている。また、前記後壁１２の下端には、この後壁１２から前方に突出する底壁１４が連設されている。
【００１５】
前記頂壁１３の前端には、この頂壁１３の上下に延在する上部前壁１５が連設されている。また、前記底壁１４の前端には、この底壁１４の上下に延在し、前記上部前壁１５と同一鉛直面上に位置する下部前壁１６が連設されている。この下部前壁１６の上面１６ａは、水平面に形成されている。
【００１６】
相互に平行に延在する前記上部前壁１５の下端と前記下部前壁１６の上端との間には、水平方向に延在する開口１７が形成されており、この開口１７に連通する前記棚板保持具１１の内部は、前記後壁１２，前記頂壁１３，前記底壁１４、前記上部前壁１５および前記下部前壁１６により囲繞された収納部１８とされている。なお、前記棚板保持具１１の両端は開放されていてもよいし、それぞれ端壁（図示せず）により閉鎖されていてもよい。
【００１７】
前記後壁１２の前面１２ａの下部には、上端を前方が下方に位置する傾斜面１２ｂにより構成されている突起部１２ｃが突設されている。また、この突起部１２ｃに連通する前記底壁１４の上面１４ａの前端部を除く部位は、前後方向における前部が下方に位置する傾斜面１４ｂに形成されている。
【００１８】
一方、前記棚板保持具１１に保持される棚板部材２１は、この棚板部材２１の後述する棚板２２上に載置される物品の大きさに応じて前記棚板保持具１１の長手方向において所定の寸法を有している。また、前記棚板２２は、この棚板２２上に載置される物品の大きさに応じて前記棚板保持具１１の長手方向に直交する方向においても所定の寸法を有している。
【００１９】
前記棚板部材２１は、前記棚板保持具１１の開口１７より小さい上下寸法を有し、前記棚板保持具１１の両前壁１５，１６とほぼ等しい肉厚とされている直方体形状の基板２３を有している。この基板２３の一方の表面２３ａには、平板状でほぼ水平面内に延在する前記棚板２２が固定されている。この棚板２２は、前記基板２３から離間する先端側が基端側より上方に位置するように例えば３°程度の仰角により傾斜配置されている。これは、前記棚板２２の先端側が目の錯覚により垂れ下がったように見えるのを防止するためである。
【００２０】
前記前記棚板２２と反対側の基板２３の表面２３ｂの上端部には、この基板２３より上方に延在する上部支持体２４が固定されている。この上部支持体２４は、前記棚板保持具１１の収納部１８の上端部における前記後壁１２および前記上部前壁１５間の間隔の約６割程度の肉厚とされている。また、前記上部支持体２４の上端部は、前記基板２３側ほど上位に位置するように彎曲面２４ａに形成されている。
【００２１】
また、前記基板２３の表面２３ｂの下端部には、この基板２３より下方に延在する下部支持体２５が固定されている。この下部支持体２５は、前記上部支持体２５とほぼ等しい肉厚を有しており、この肉厚は、前記棚板保持具１１の収納部１８の下端部における前記突起部１２ｃおよび前記下部前壁１６間の間隔の約８割程度とされている。また、前記下部支持体２５の下端部の前部側は、前記棚板保持具１１の底壁１４の傾斜面１４ｂと等しい角度の傾斜面２５ａに形成されており、さらに、この傾斜面２５ａより後部側は、ほぼ水平面２５ｂに形成されている。
【００２２】
そして、前記基板２３の水平に形成された下面２３ｃが前記棚板保持具１１の下部前壁１６の上面１６ａに着座したとき、前記下部支持体２５の下端部の傾斜面２５ａが前記棚板保持具１１の底壁１４の傾斜面１４ｂ上に着座するようになっている。
【００２３】
なお、前記壁１の前面には、前記棚板保持具１１の上方および下方に位置する石膏ボード３が貼着されており、この棚板保持具１１のみが大きく前方に突出しないようになっている。
【００２４】
つぎに、前述した構成からなる本実施形態の作用について説明する。
【００２５】
棚板取付け装置１０の棚板保持具１１に棚板部材２１を装着するには、この棚板部材２１の上部支持体２４を、図２に示すように、棚板保持具１１の開口１７から斜め上方に挿入する。
【００２６】
そして、前記棚板部材２１をその上端を回動中心として時計方向に回動させ、前記棚板部材２１の下部支持体２５の下端が前記開口１７を通過して、図３に示すように、前記棚板保持具１１の収納部１８内に完全に収納されたら、前記棚板部材２１を前記棚板保持具１１の収納部１８内において下降させる。
【００２７】
すると、図１に示すように、前記基板２３の下面２３ｃが前記棚板保持具１１の下部前壁１６の上面１６ａに着座し、このとき、前記下部支持体２５の下端部の傾斜面２５ａが前記棚板保持具１１の底壁１４の傾斜面１４ｂ上に着座することになる。また、このとき、前記棚板部材２１の下部支持体２５の後面２５ｃが前記棚板保持具１１の下部底壁１６の内端面１６ｂに接触することになる。この結果、棚板部材２１の自重およびこの棚板部材２１の棚板２２に載置された物品の自重が棚板保持具１１の各部に分散して作用することになる。
【００２８】
このようにして棚板部材２１が棚板保持具１１内に収納されることになるが、棚板２２およびこの棚板２上に載置した物品（図示せず）の荷重による棚板部材２１を図１において時計方向に回転させようとする回転モーメントは、前記棚板部材２１の上部支持体２４が前記棚板保持具１１の上部前壁１５に当接して受けるので、前記棚板部材２１が前記回転モーメントにより回動してしまうおそれはない。
【００２９】
一方、図１の状態から棚板部材２１を分離するには、図２に示すように、前記棚板部材２１を前記棚板保持具１１の収納部１８内において浮上させる。その後、前記棚板部材２１をその上端を回動中心として反時計方向に回動させ、前記棚板部材２１の下部支持体２５の下端が前記開口１７を通過して、図２に示すように、前記棚板保持具１１の外部に位置したら、前記棚板部材２１を斜めに引き抜けばよい。
【００３０】
以上説明したように、本実施形態の棚板取付け装置１１によれば、構造がきわめて簡単であるにもかかわらず棚板保持具１１により棚板部材２１を安定的に保持することができる。また、簡単な構造で安価に製造することができる。さらに、棚板部材２１を簡単に棚板保持具１１に着脱することができる。さらにまた、ねじ止めなどを一切することなく棚板部材２１を簡単に棚板保持具１１に着脱できるので、棚板２２に載置する物品を変更する際の棚板部材２１の交換も容易に行うことができる。さらに、棚板２２の先端側を基端側より多少上位に位置するように傾斜配置したので、目の錯覚による棚板２２の先端側が垂れ下がったように見えるのを防止することができる。
【００３１】
図４は本発明に係る棚板取付け装置の第２実施形態を示すものであり、本実施形態の棚板取付け装置３０は、壁１にねじ２より固定され、壁面１ａに取付けられている棚板保持具３１を有している。この棚板保持具３１は、第１実施形態における棚板保持具１１と同様、水平方向に延在する長尺の金属材料により形成されている。この棚板保持具３１の水平方向長さは、例えば、９０ｃｍ、１８０ｃｍなどとされており、この棚板保持具３１は住宅の新築あるいは改築時に施工してもよいし、あとから施工することも可能である。
【００３２】
前記棚板保持具３１は、ほぼ鉛直方向に延在する後壁３２を有しており、この後壁３２の上端には、この後壁３２から前方に突出する頂壁３３が連設されている。この頂壁３３の下面３３ａは水平面に形成されている。また、前記後壁３２の下端には、この後壁３２から前記頂壁３３と等しい寸法をもって前方に突出する底壁３４が連設されている。
【００３３】
前記頂壁３３の前端には、この頂壁３３から下方に延在する前壁３５が連設されており、この前壁３５の下端と前記底壁３４の上面３４ａとの間には、水平方向に延在する開口３６が形成されており、この開口３６に連通する前記棚板保持具３１の内部は、前記後壁３２，前記頂壁３３，前記底壁３４および前記前壁３５により囲繞された収納部３７とされている。なお、前記棚板保持具３１の両端は開放されていてもよいし、それぞれ端壁（図示せず）により閉鎖されていてもよい。
【００３４】
一方、前記棚板保持具３１に保持される棚板部材４１は、この棚板部材４１の棚板４２上に載置される物品の大きさに応じて前記棚板保持具３１の長手方向において所定の寸法を有している。また、前記棚板４２は、この棚板４２上に載置される物品の大きさに応じて前記棚板保持具３１の長手方向に直交する方向においても所定の寸法を有している。
【００３５】
前記棚板部材４１は、前記棚板保持具３１の開口３６より大きい上下寸法を有する直方体形状の基板４３を有している。この基板４３の一方の表面４３ａの下端部には、平板状でほぼ水平面内に延在する前記棚板４２が固定されている。この棚板４２は、第１実施形態の棚板２２と同様、前記基板４３から離間する先端側が基端側より上方に位置するように例えば３°程度の仰角により傾斜配置されている。これは、前述したように前記棚板４２の先端側が目の錯覚により垂れ下がったように見えるのを防止するためである。
【００３６】
前記前記棚板４２と反対側の基板４３の表面４３ｂの上端部には、この基板４３の前方に延在する基端部４４ａと、この基端部４４ａの先端部から上方に延在する先端部４４ｂとからなる上部支持体４４が固定されている。前記上部支持体４４の先端部４４ｂの上下方向寸法は、前記開口３６の上下方向寸法より大きく形成されているが、前記収納部３７の上下方向寸法よりは小さく形成されている。
【００３７】
前記上部支持体４４の先端部４４ｂは、前記棚板保持具３１の収納部３７における前記後壁３２および前記前壁３５間の間隔の約６割程度の肉厚とされている。また、前記上部支持体４４の基端部４４ａの肉厚は、前記開口３６の上下方向寸法の約半分程度に形成されている。
【００３８】
前記基板４３の前記表面４３ｂの下端部には、前記壁１に向かって斜め下方に延在する下部支持体４５が突設されている。この下部支持体４５の先端には、当接部４５ａが突設されており、この突設部４５ａは、前記上部支持体４４の先端部４４ｂが、前記棚板保持具３１の収納部３７内に位置して、前記棚板保持具３１の前記前壁３５に当接するとともに、前記上部支持体４４の基端部４４ａが前記底壁３４の上面３４ａ上に着座している状態において、前記下部支持体４５の当接部４５ａが壁１に当接するようになっている。
【００３９】
なお、前記壁１の前面には、前記棚板保持具３１の上方および下方に位置する石膏ボード３が貼着されており、この棚板保持具３１のみが大きく前方に突出しないようになっている。
【００４０】
つぎに、前述した構成からなる本実施形態の作用について説明する。
【００４１】
棚板取付け装置３０の棚板保持具３１に棚板部材４１を装着するには、この棚板部材４１の上部支持体４４の先端部４４ｂを、棚板保持具３１の開口３６から斜め上方に挿入する。
【００４２】
そして、前記棚板部材４１をその上部支持体４４の先端部４４ｂの上端を回動中心として図４において時計方向に回動させ、前記棚板部材４１の上部支持体４４の先端部４４ｂの下端が前記開口３６を通過して、前記棚板保持具３１の収納部３７内に完全に収納されたら、前記棚板部材４１を前記棚板保持具３１の収納部３７内において下降させる。
【００４３】
すると、図４に示すように、前記上部支持体４４の基端部４４ａが前記棚板保持具１１の底壁３４の上面３４ａに着座し、このとき、前記上部支持体４４の先端部４４ｂが前記前壁３５に接触することになる。さらにこのとき、前記下部支持体４５の当接部４５ａが壁１に当接している。この結果、棚板部材４１の自重およびこの棚板部材４１の棚板４２に載置された物品の自重が棚板保持具３１の各部ならびに壁１に分散して作用することになる。
【００４４】
このようにして棚板部材４１の上部支持体４４の先端部４４ｂが棚板保持具３１内に収納されることになるが、棚板４２およびこの棚板４２上に載置した物品（図示せず）の荷重による棚板部材３１を図４において時計方向に回転させようとする回転モーメントは、前記棚板部材４１の上部支持体４４の先端部４４ｂが前記棚板保持具３１の前壁３５に当接して受けるので、前記棚板部材４１が前記回転モーメントにより回動してしまうおそれはない。
【００４５】
一方、図１の状態から棚板部材４１を分離するには、棚板部材４１の基端部４４ａを前記棚板保持具３１の収納部３７内において浮上させる。その後、前記棚板部材４１をその上部支持体４４の先端部４４ｂの上端を回動中心として反時計方向に回動させ、前記棚板部材４１の上部支持体４４の先端部４４ｂの下端が前記開口３６を通過して、前記棚板保持具３１の外部に位置したら、前記棚板部材４１の上部支持体４４の先端部４４ｂを斜めに引き抜けばよい。
【００４６】
以上説明したように、本実施形態の棚板取付け装置３１によれば、構造がきわめて簡単であるにもかかわらず棚板保持具３１により棚板部材４１を安定的に保持することができる。また、簡単な構造で安価に製造することができる。さらに、棚板部材４１を簡単に棚板保持具３１に着脱することができる。さらにまた、ねじ止めなどを一切することなく棚板部材４１を簡単に棚板保持具３１に着脱できるので、棚板４２に載置する物品を変更する際の棚板部材４１の交換も容易に行うことができる。さらに、棚板４２の先端側を基端側より多少上位に位置するように傾斜配置したので、目の錯覚による棚板４２の先端側が垂れ下がったように見えるのを防止することができる。
【００４７】
なお、本発明は、前述した実施の形態に限定されるものではなく、必要に応じて種々の変更が可能である。
【図面の簡単な説明】
【００４８】
【図１】本発明に係る棚板取付け装置の第１実施形態を示す縦断面側面図
【図２】図１の棚板部材の装着途中の状態を示す縦断面側面図
【図３】図１の棚板部材の装着途中の状態を示す縦断面側面図
【図４】本発明に係る棚板取付け装置の第２実施形態を示す縦断面側面図
【符号の説明】
【００４９】
１  壁
１０，３０  棚板取付け装置
１１，３１  棚板保持具
１２，３２  後壁
１３，３３  頂壁
１４，３４  底壁
１５  上部前壁
１６  下部前壁
１７，３６  開口
１８，収納部
２１，４１  棚板部材
２２，４２  棚板
２３，４３  基板
２４，４４  上部支持体
２５，４５  下部支持体
３５  前壁
【図１】
2005304769.tif 000003
【図２】
2005304769.tif 000004
【図３】
2005304769.tif 000005
【図４】
2005304769.tif 000006